(57)【要約】    【課題】液体の汲替えを終了した後、液体ポンプを、これに付着した液体で手を汚すことなく収納することを可能とする。    【解決手段】液体の汲替えに際して液体タンクに挿入される吸入管２１ａを有するポンプ本体２１と、吸入管２１ａを介して吸い出された液体を移送するための吐出ホース２２と、を備える液体ポンプ２の収納ケース１である。収納ケース１は、吸入管２１ａが収納される空間を形成する第１の収納部１１と、吐出ホース２２のうち、少なくともその先端部２２ａを包囲して、吐出ホース２２が収納される空間を形成する第２の収納部１２とを有し、第２の収納部１２において、吐出ホース２２が収納される空間は、吸入管２１ａが収納される空間に対して隔てられて形成される。【選択図】  図３
2008196426.tif 000002
【特許請求の範囲】
【請求項１】
液体タンクからの液体の汲替えに際してこの液体タンクに挿入される吸入管を有するポンプ本体と、
前記吸入管を介して吸い出された液体を移送するための吐出ホースと、を含んで構成される液体ポンプの収納ケースであって、
前記吸入管が収納される空間を形成する第１の収納部と、
前記吐出ホースのうち、少なくともその先端部を包囲して、前記吐出ホースが収納される空間を形成する第２の収納部と、を含んで構成され、
前記第２の収納部において、前記吐出ホースが収納される空間は、前記吸入管が収納される空間に対して隔てられて形成された収納ケース。
【請求項２】
前記第２の収納部において、前記吐出ホースが収納される空間は、前記吐出ホースの先端部が収納される空間と、この先端部以外の部分が収納される空間とに分割して形成された請求項１に記載の収納ケース。
【請求項３】
前記第１の収納部は、柔軟性シートにより形成された、前面及び後面を有するケース本体として構成され、
前記第２の収納部は、前記第１の収納部と同一の素材である柔軟性シートにより、前記第１の収納部と一体に形成された請求項１又は２に記載の収納ケース。
【請求項４】
前記第２の収納部は、前記第１の収納部の前面又は後面に設けられ、
前記吐出ホースが収納される空間は、前記吸入管が収納される空間に対し、前記第１の収納部の前面又は後面を形成する柔軟性シートにより隔てられる請求項３に記載の収納ケース。
【請求項５】
前記第１の収納部は、前記吸入管を含め、前記ポンプ本体をその全長に亘って包囲可能な長さを有するとともに、前記ポンプ本体のうち、前記吸入管以外の部分を包囲する上部において、前面及び後面の間で開閉可能に構成された請求項４に記載の収納ケース。
【請求項６】
前記第２の収納部は、前記第１の収納部の前面又は後面において、前記開閉可能に構成された上部よりも前記吸入管が収納される空間に近い部位に設けられた請求項５に記載の収納ケース。
【請求項７】
尿素水の汲替えに使用される液体ポンプの収納に用いられる請求項１〜６のいずれかに記載の収納ケース。
【請求項８】
請求項１〜７のいずれかに記載の収納ケースと、
前記収納ケースに収納された液体ポンプと、を含んで構成され、
前記液体ポンプは、
液体の汲替えに際して液体タンクに挿入されて、液体タンクに貯蔵されている液体を吸い出すための輸送路を形成する吸入管を有するポンプ本体と、
前記吸入管を介して吸い出された液体を移送するための、前記ポンプ本体から分岐させて形成された吐出ホースと、を含んで構成される収納ケース付きの液体ポンプ。
【請求項９】
前記液体ポンプは、前記吐出ホースの先端部に、前記吐出ホースを前記液体タンクとは異なる液体タンクに着脱可能に接続するための接続具を有し、
前記接続具は、
前記吐出ホースの先端部に設けられた円環状の基部と、
前記基部から前記異なる液体タンクに対する前記吐出ホースの挿入方向に延設され、前記基部から所定の間隔の位置に、前記基部の中心軸に対して外向きに延伸させて外方突部が形成された第１の係止部と、
前記基部から前記吐出ホースの挿入方向に前記所定の間隔よりも大きな値の長さに亘って延設され、先端に略Ｌ字状の鉤部が形成された可撓性の第２の係止部と、を含んで構成される請求項８に記載の収納ケース付きの液体ポンプ。
【請求項１０】
液体の汲替えに際して液体タンクに挿入されて、液体タンクに貯蔵されている液体を吸い出すための輸送路を形成する吸入管を有するポンプ本体と、
前記吸入管を介して吸い出された液体を前記液体タンクとは異なる液体タンクに移送するための、前記ポンプ本体から分岐させて形成された吐出ホースと、を含んで構成され、
前記吐出ホースは、その先端部に、これを前記液体タンクとは異なる液体タンクに着脱可能に接続するための接続具を有し、
前記接続具は、
前記吐出ホースの先端部に設けられた円環状の基部と、
前記基部から前記異なる液体タンクに対する前記吐出ホースの挿入方向に延設され、前記基部から所定の間隔の位置に、前記基部の中心軸に対して外向きに延伸させて外方突部が形成された第１の係止部と、
前記基部から前記吐出ホースの挿入方向に前記所定の間隔よりも大きな値の長さに亘って延設され、先端に略Ｌ字状の鉤部が形成された可撓性の第２の係止部と、を含んで構成される液体ポンプ。
【請求項１１】
前記第１の係止部は、前記所定の間隔よりも大きな値の長さに亘り延設され、その先端において、前記異なる液体タンクに設けられるホース挿入部の切欠きに受け入れられる舌部を有する請求項１０に記載の液体ポンプ。
【請求項１２】
前記吐出ホースが蛇腹に形成されるとともに、
前記接続具が前記吐出ホースとは別体の部材として設けられ、
前記接続具において、前記基部は、前記吐出ホースの先端を挿入可能な径を有するとともに、前記蛇腹の窪みに係合する爪部を有する請求項１０又は１１に記載の液体ポンプ。
【発明の詳細な説明】
【技術分野】
【０００１】
本発明は、液体ポンプの収納ケースに関し、詳細には、液体タンクに貯蔵されている液体を液体ポンプにより汲み替える作業を終了した後、この液体ポンプを、これに付着した液体で手を汚すことなく収納することのできる収納ケースに関する。
【背景技術】
【０００２】
液体タンクからの液体の汲替えに使用される液体ポンプとして、手動又は自動による、携行型の各種の液体ポンプが市販されている。これらの液体タンクは、いずれも、液体の汲替えに際して液体タンクに挿入される吸入管と、この吸入管を介して液体タンクから吸い出された液体を、これとは異なる液体タンクに移送するための吐出ホースとを備えるものとして構成されるのが一般的である。特に、自動型の液体ポンプでは、吸入管の先端部に電動モータが内蔵されており、この電動モータにより液体が吸い出され、吸入管及び吐出ホースを介して液体が移送される。液体ポンプの適用例として一般的に知られるものに、石油ストーブの燃料として用いられる灯油の汲替えがあるが、液体ポンプの適用は、これに限られるものではない。
【０００３】
近年における環境保護の要請を背景に、内燃機関からの窒素酸化物（以下「ＮＯｘ」という。）の排出量の削減を目的として、尿素ＳＣＲ（Selective Catalytic Reduction）法による排気浄化装置の開発が進められており、ディーゼルエンジンの排気浄化装置として、既に実用化されている。この尿素ＳＣＲ法による排気浄化装置は、排気通路に備えられた還元触媒を有し、この還元触媒の上流で排気中に尿素水を噴射することで、ＮＯｘの還元剤であるアンモニアを生じさせ、このアンモニアと排気中のＮＯｘとを還元触媒上で反応させて、排気を浄化するものである。このような排気浄化装置において、排気中に噴射される尿素水は、車上に搭載された液体タンクに貯蔵される（特許文献１）。尿素水の累積噴射量が増大するに従って液体タンクに貯蔵されている尿素水が不足するため、液体タンクに対し、尿素水を定期的に補給する必要がある。現状において、補給用の尿素水は、携行用の液体タンクにより持ち運ぶこととしており、尿素水の補給は、注水用のノズル等を補給先の液体タンクの注入口に差し込み、使用者が携行用の液体タンクをこの注入口よりも高く持ち上げることで、重力の作用を利用して注ぎ込むことにより行われている（特許文献２）。このような方法による補給は、使用者にとって大きな負担を伴う作業である。無論、尿素水の汲替えを液体ポンプにより自動的に行うことができれば、液体タンクを持ち上げることが不要となるから、作業の負担は、大幅に軽減されるものと考えられる。汲替えに使用された液体ポンプは、これに付着した尿素水が周囲に撒き散らされることを防止し、及び液体ポンプに埃等が付着し、これが尿素水の供給系内に混入することを防止するため、専用の収納ケースに納めて保管されることが望ましい（灯油ポンプに関するものであるが、特許文献３）。
【特許文献１】特開２００６−３４２７７１号公報（段落番号０００２）
【特許文献２】特開２００６−３４７６０５号公報（段落番号００１４）
【特許文献３】特開２００１−０３１０９９号公報（図７）
【発明の開示】
【発明が解決しようとする課題】
【０００４】
しかしながら、尿素水の汲替えに液体ポンプを使用する場合においては、使用後の液体ポンプを収納ケースに納めようとする際に、液体ポンプに付着した尿素水により手が汚れてしまうという問題がある。慎重な作業により収納時には手が汚れなかったとしても、尿素水が付着した吸入管と、吐出ホースとが保管中に収納ケース内で接触して、尿素水が吐出ホースに付着すれば、次の使用に際して吐出ホースを介して手が汚れてしまう。尿素水は、本来無臭の液体であるが、これを付着したまま放置しておくと、時間の経過に伴ってアンモニア臭が発生し、使用者に不快感を与えることになる。即座の洗浄等により臭いの発生を回避し得るとしても、作業の都度洗浄することは面倒であるし、必ずしも常に洗浄が可能な状況にあるとは限らない。商用トラックのエンジンにおける排気浄化等、長距離移動を前提とする場合においては、なおさらである。また、臭いに限らず、尿素水が付着して、手がべとつくことで、使用者に不快感を与えることも考えられる。
【０００５】
以上から、使用後の液体ポンプを、これに付着した尿素水により手を汚すことなく収納ケースに納めることができれば、使用者に対して尿素水の付着に起因する不快感を与えずに済み、液体ポンプの使用がより便利なものとなる。
なお、液体が手に付着することは、尿素水に限らず、灯油等の尿素水以外の液体についても回避されることが望ましい。
【０００６】
本発明は、以上の問題を考慮した液体ポンプの収納ケースを提供するものである。
【課題を解決するための手段】
【０００７】
本発明に係る収納ケースは、液体タンクからの液体の汲替えに際してこの液体タンクに挿入される吸入管を有するポンプ本体と、前記吸入管を介して吸い出された液体を移送するための吐出ホースと、を含んで構成される液体ポンプの収納ケースである。本発明に係る収納ケースは、前記吸入管が収納される空間を形成する第１の収納部と、前記吐出ホースのうち、少なくともその先端部を包囲して、前記吐出ホースが収納される空間を形成する第２の収納部と、を含んで構成され、前記第２の収納部において、前記吐出ホースが収納される空間は、前記吸入管が収納される空間に対して隔てられて形成される。
【発明の効果】
【０００８】
本発明によれば、液体ポンプのうち、吸入管が収納される空間と、吐出ホースが収納される空間とを個別に、かつ互いに隔てられるように形成するとともに、吐出ホースが収納される空間を形成する第２の収納部を、吐出ホースのうち、少なくともその先端部を包囲するものとして形成したので、液体が付着した吸入管と、吐出ホース（特に、その先端部）とが収納ケース内で接触するのを回避し、吸入管以外の部分に液体が付着するのを防止することができる。このため、使用後の液体ポンプを、これに付着した液体により手を汚すことなく収納することが可能となるとともに、それ以降の使用に際し、吐出ホースを介して液体が手に付着するのを回避することができる。
【発明を実施するための最良の形態】
【０００９】
以下に図面を参照して、本発明の実施の形態について説明する。
図１は、本発明の一実施形態に係る液体ポンプの収納ケース１の構成を示す透視図である。
図２は、本実施形態に係る収納ケース１に納められる液体ポンプ２の構成を示す正面図である。
【００１０】
図２を適宜に参照しながら、図１により、本実施形態に係る収納ケース１の構成について説明する。
本実施形態において、液体ポンプ２は、電動型の液体ポンプであり、液体タンクに貯蔵されている液体としての尿素水を、これとは異なる液体タンクに汲み替える際に使用されるものである。尿素水は、たとえば、内燃機関（以下「エンジン」という。）から排出されるＮＯｘを、尿素ＳＣＲ法により浄化するのに使用される。この場合において、液体ポンプ２により尿素水が汲み替えられる汲替先の液体タンク（以下、特に「貯蔵タンク」という。）は、エンジンの排気浄化装置の構成部品として、このエンジンを駆動源とする車両に搭載される。他方、液体ポンプ２による汲替元の液体タンクは、比較的に小さな容量の補給タンクとして、携行可能に構成される。以下、尿素水の補給タンクとして構成される液体タンクを、特に「携行タンク」という。
【００１１】
図２に示すように、液体ポンプ２は、大別して、ポンプ本体２１と、吐出ホース２２とから構成されている。ポンプ本体２１は、長尺に形成された吸入管２１ａを備えている。この吸入管２１ａは、尿素水の補給に際して携行タンクに挿入されるものであり、その先端の膨大部には、電動モータ２１１が内蔵されている。この電動モータ２１１がポンプ本体２１の基部２１ｂに内蔵されたバッテリー２１２を電源として駆動することで、携行タンク内の尿素水が吸い出され、次に述べる吐出ホース２２を介して貯蔵タンクに移送される。吐出ホース２２は、ポンプ本体２１から分岐させて形成されるとともに、補給に際して貯蔵タンクの補給口に挿入される先端部２２ａ以外の部分２２ｂにおいて、蛇腹に形成されている。この吐出ホース２２の先端部２２ａには、吐出ホース２２の貯蔵タンクに対する接続を容易なものとするための接続具２３が取り付けられている。液体ポンプ２は、使用後の保管、及び未使用の段階における使用者への提供に際し、収納ケース１に納められる。
【００１２】
図１に示すように、収納ケース１は、液体ポンプ２の異なる部分を包囲する２つの収納部１１，１２から構成されており、それぞれの収納部１１，１２において、液体ポンプ２の各部分が収納される空間は、互いに隔てられて形成されている。第１の収納部１１は、ポンプ本体２１が収納される空間を形成するものであり、本実施形態では、柔軟性を有するシート材（以下「柔軟性シート」という。）を折り重ね、上端を除く所要の箇所で縫合したバッグの形態で形成されている。第１の収納部１１は、吸入管２１ａを含め、ポンプ本体２１をその全長に亘って包囲可能な長さを持たせて縦長に形成されており、ポンプ本体２１のうち、吸入管２１ａ以外の部分（すなわち、基部２１ｂ）を包囲する上部（以下「ケース本体上部」という。）１１ａに開口Ａが設けられ、このケース本体上部１１ａにおいて、前面及び後面の間で開閉可能に構成されている。ケース本体上部１１ａには、フック及びループからなる面ファスナー等、仮止めのための手段１１１が設けられており、この手段１１１により、開口Ａが閉ざされる。他方、第２の収納部１２は、吐出ホース２２が収納される空間を形成するものであり、本実施形態では、第１の収納部１１と同一の素材である柔軟性シートにより、第１の収納部１１と一体に形成されている。第２の収納部１２は、第１の収納部１１のうち、開口Ａが設けられるケース本体上部１１ａを除く部位（以下「ケース本体下部」という。）１１ｂの前面に設けられ、ケース本体上部１１ａに向けて開放されている。ケース本体下部１１ｂは、吐出ホース２２（図２）のうち、先端部２２ａを収納するための比較的に容積の小さな部分１２ａと、先端部２２ａ以外の部分２２ｂを収納するための、部分１２ａよりも容積の大きな部分１２ｂとに分割して形成されている。本実施形態において、第１の収納部１１が形成する、ポンプ本体２１（特に、吸入管２１ａ）が収納される空間と、第２の収納部１２が形成する、吐出ホース２２が収納される空間とは、第１の収納部１１の前面を形成する柔軟性シートにより、互いに隔てられている。なお、本実施形態では、第２の収納部１２の各部分１２ａ，１２ｂも、柔軟性シートにより互いに隔てられた関係にある。
【００１３】
図３は、本実施形態に係る収納ケース１に液体ポンプ２を実際に納めた状態を示す説明図である。同図において、液体ポンプ２を実線により、収納ケース１を二点鎖線により示している。
液体ポンプ２のポンプ本体２１は、収納ケース１において、第１の収納部１１が形成する空間に納められる。ポンプ本体２１の収納は、開口Ａを広げることにより、収納ケース１の上端の開口、及び開口Ａを介して行うことが可能である。他方、吐出ホース２２は、第２の収納部１２において、第１の収納部１１が形成する空間に対して隔てられた空間に納められる。第１の収納部１１において、ポンプ本体２１の基部２１ｂを包囲するケース本体上部１１ａに開口Ａが形成されていることから、この開口Ａを介して吐出ホース２２を引き出し、第１の収納部１１外の第２の収納部１２に案内することが可能である。
【００１４】
尿素水を貯蔵タンクに補給する際に、液体ポンプ２を収納ケース１から取り出す作業、及び補給後、液体ポンプ２を再び収納ケース１に納める作業は、夫々次のような手順による。
まず、尿素水の補給に際し、液体ポンプ２のポンプ本体２１が第１の収納部１１に納められた状態で、吐出ホース２２の先端部２２ａを第２の収納部１２（具体的には、容積の小さな部分１２ａ）から抜き出し、貯蔵タンクの補給口に挿入する。このときの貯蔵タンクに対する吐出ホース２２の接続及び固定は、先端部２２ａに設けられた接続具２３により行われる。接続後、ポンプ本体２１を、その基部２１ｂを把持することにより第１の収納部１１から取り出し、吸入管２１ａを携行タンクに挿入する。挿入後、液体ポンプ２を作動させて、携行タンク内の尿素水を貯蔵タンクに汲み替える。次に、補給後の液体ポンプ２の収納に際し、ポンプ本体２１の吸入管２１ａを携行タンクに挿入したままの状態で吐出ホース２２の先端部２２ａを貯蔵タンクの補給口から抜き出し、これを第２の収納部１２の部分１２ａに納める。ポンプ本体２１の基部２１ｂを把持して、吸入管２１ａに付着した尿素水を振るい落とした後、ポンプ本体２１を第１の収納部１１に納めて、収納を完了する。ポンプ本体２１の脱落を防止するため、収納ケース１の上端の開口を閉ざすことができるように、第１の収納部１１にひも１３等が設けられるとよい。
【００１５】
以下、吐出ホース２２の先端部２２ａに設けられる接続具２３の構成について説明する。
図４は、吐出ホース２２の先端部２２ａの構成を示す拡大図である。
本実施形態において、吐出ホース２２は、充分な可撓性が得られるように、先端部２２ａを除く部分で蛇腹に形成されている。接続具２３は、吐出ホース２２とは別体の部材として構成され、先端部２２ａに対し、吐出ホース２２の中心軸Ｌｈと同心に取り付けられている。
【００１６】
図５は、接続具２３の構成を示しており、図３Ａは、正面図であり、図３Ｂ，３Ｃは、夫々側面図及び底面図である。
本実施形態において、接続具２３は、樹脂等の可撓性を有する素材により単一の部品として構成されており、円環状の基部２３１と、基部２３１から貯蔵タンクに対する吐出ホース２２の挿入方向（以下、単に「挿入方向」という。）Ｄｉに延設された２つの係止部２３２，２３３とを備えている。基部２３１は、吐出ホース２２に対するこの接続具２３の取付強度を付与するものである。基部２３１は、円環状であり、吐出ホース２２の先端部２２ａを挿入可能な内径と、貯蔵タンクの補給口Ｈ（図７）と略同径の外径とを有している。基部２３１には、内周から半径方向内向きに突出する複数の爪部２３１ａが形成されており、吐出ホース２２の蛇腹の窪みにこの爪部２３１ａが噛み合うことで、吐出ホース２２に対する接続具２３の回転可能な取付けが達成される。一方の係止部２３２（「第１の係止部」に相当する。）は、貯蔵タンクに対する吐出ホース２２の挿入を制限するためのものであり、基部２３１から挿入方向Ｄｉに延伸させて設けられている。第１の係止部２３２には、基部２３１から所定の間隔ｓ１の位置に、中心軸Ｌｈに対して外向きに延伸させて外方突部２３２ａが形成されている。第１の係止部２３２全体としての長さは、間隔ｓ１よりも大きく、外方突部２３２ａよりも更に先端に、幅を縮小させて形成した舌部２３２ｂが設けられている。舌部２３２ｂは、貯蔵タンクに吐出ホース２２を接続した状態で接続具２３の軸周りの回転を防止するためのものである。他方の係止部２３３（「第２の係止部」に相当する。）は、貯蔵タンクからの吐出ホース２２の抜けを防止するためのものであり、基部２３１から挿入方向Ｄｉに間隔ｓ１よりも大きな値の長さに亘って延伸させて設けられている。第２の係止部２３３の先端には、中心軸Ｌｈに対して外向きに湾曲する略Ｌ字状の鉤部２３３ａが形成されている。すなわち、鉤部２３３ａは、第１の係止部２３２の外方突部２３２ａから挿入方向Ｄｉにずらして形成されており、外方突部２３２ａと鉤部２３３ａとにより、接続時において、補給口Ｈの周壁３１ａ（図６）が上下から挟まれることになる。
【００１７】
図６は、本実施形態に係る液体ポンプ２が適用される貯蔵タンクのホース挿入部３１の構成を示す斜視図である。
本実施形態において、ホース挿入部３１は、貯蔵タンクの天蓋に設けられており、上方に向けて開口する孔（すなわち、補給口）Ｈが設けられている。補給口Ｈは、接続具２３の基部２３１と略同径である。補給口Ｈを形成するホース挿入部３１の壁部（すなわち、周壁）３１ａには、第１の係止部２３２の舌部２３２ｂの幅と略一致させた幅で切欠きＣが形成されている。貯蔵タンクに吐出ホース２２を接続した状態において、切欠きＣに舌部２３２ｂが受け入れられて、ホース挿入部３１に対する接続具２３の回転が防止される。なお、舌部２３２ｂは、周壁３１ａに切欠きＣが設けられなくとも、挿入時における案内として機能するとともに、接続後における吐出ホース２２及び接続具２３の中心位置を定める位置決め手段として機能し得るものである。
【００１８】
図７は、貯蔵タンクに吐出ホース２２を接続した状態を示す断面図である。
図７に示すように、吐出ホース２２は、貯蔵タンクに接続した状態で、第１の係止部２３２の外方突部２３２ａがホース挿入部３１の周壁３１ａに当接する。これにより、吐出ホース２２の挿入長さが定められ、貯蔵タンクへの吐出ホース２２の必要以上の挿入が阻止されるとともに、補給時にその先端部２２ａが貯蔵タンク内の尿素水に浸かることが防止される。また、第２の係止部２３３に略Ｌ字状の鉤部２３３ａが設けられているので、吐出ホース２２が挿入された状態から不慮に引き抜かれようとしても、鉤部２３３ａが周壁３１ａにかかり、その抜けが防止される。接続具２３がその全体で樹脂製とされているので、第２の係止部２３３が充分な可撓性を有しており、貯蔵タンクに吐出ホース２２を接続する際に第２の係止部２３３を容易に撓ませて、接続具２３をホース挿入部３１に簡単に取り付けることができる。また、補給後、第２の係止部２３３を撓ませて、ホース挿入部３１から接続具２３を容易に取り外すことができる。
【００１９】
本実施形態によれば、次のような効果を得ることができる。
すなわち、本実施形態では、収納ケース１において、液体ポンプ２の吸入管２１ａが収納される空間と、吐出ホース２２が収納される空間とを個別に、かつ互いに隔てられるように形成したので、尿素水が付着した吸入管２１ａと、吐出ホース２２とを接触させることなく保管することができる。このため、携行タンクに挿入される吸入管２１ａ以外の部分（特に、吐出ホース２２）に尿素水が付着するのを回避することができ、使用後の液体ポンプ２の収納に際しては、液体ポンプ２に付着した尿素水により手を汚すことがなく、それ以降の使用に際しては、吐出ホース２２を介して尿素水が手に付着するのを回避することができる。
【００２０】
また、本実施形態では、吐出ホース２２が収納される空間を形成する第２の収納部１２を、吐出ホース２２の先端部２２ａを収納するための部分１２ａと、先端部２２ａ以外の部分２２ｂを収納するための部分１２ｂとに分割して形成したので、吐出ホース２２の各部分を収納ケース１に整然と納めることができる。また、使用後の収納に際し、ポンプ本体２１を携行タンクから抜き出すよりも前に吐出ホース２２の先端部２２ａを専用の収納部１２ａに納めることができるので、ポンプ本体２１の収納に際し、吐出ホース２２内に残存する尿素水が周囲に撒き散らされるのを防止することができる。
【００２１】
更に、本実施形態では、吐出ホース２２の先端部２２ａに接続具２３を設けたので、吐出ホース２２の貯蔵タンクに対する接続を煩雑なものとすることなく、貯蔵タンクからの吐出ホース２２の抜けを確実に防止することができる。
以上では、接続具２３を吐出ホース２２とは別体の部材として構成する場合について説明したが、これに限らず、接続具２３を吐出ホース２２の一部として、先端部２２ａと一体に形成してもよい。すなわち、吐出ホース２２の先端部２２ａは、接続具２３を備える単一の部材として形成することができる。
【００２２】
また、液体ポンプ２により汲み替えられる液体は、尿素水に限らず、たとえば、エンジンの燃料として用いられるガソリン及び軽油や、ＮＯｘの浄化に用いられる各種の液体還元剤等であってもよい。
【図面の簡単な説明】
【００２３】
【図１】本発明の一実施形態に係る収納ケースの構成を示す透視図
【図２】同上収納ケースに納められる液体ポンプの構成を示す正面図
【図３】同上収納ケースに液体ポンプを納めた状態を示す説明図
【図４】同上液体ポンプの、吐出ホースの先端部の構成を示す拡大図
【図５】同上液体ポンプに設けられる接続具の構成を示す正面図（Ａ）、側面図（Ｂ）及び底面図（Ｃ）
【図６】同上液体ポンプが接続される液体タンクのホース挿入部の構成を示す拡大斜視図
【図７】同上接続具により液体ポンプを接続した状態を示す部分断面図
【符号の説明】
【００２４】
１…収納ケース、１１…第１の収納部、１１ａ…ケース本体上部、１１ｂ…ケース本体下部、１２（１２ａ，１２ｂ）…第２の収納部、２…液体ポンプ、２１…ポンプ本体、２１ａ…吸入管、２１ｂ…ポンプ本体の基部、２２…吐出ホース、２２ａ…吐出ホースの先端部、２３…接続具、２３１…接続具の基部、２３１ａ…爪部、２３２…第１の係止部、２３２ａ…外方突部、２３２ｂ…舌部、２３３…第２の係止部、２３３ａ…鉤部、３１…貯蔵タンクのホース挿入部、３１ａ…周壁、Ａ…開口、Ｃ…切欠き。
【図１】
2008196426.tif 000003
【図２】
2008196426.tif 000004
【図３】
2008196426.tif 000005
【図４】
2008196426.tif 000006
【図５】
2008196426.tif 000007
【図６】
2008196426.tif 000008
【図７】
2008196426.tif 000009